(57)【要約】【課題】２次電池のケースが正に帯電した場合、負極端子で電子が脱離して負極端子が腐食する問題が発生する。負極端子が腐食すると負極端子とこれに連結された部材との間の接触抵抗が増加して２次電池の性能が低下する問題が発生する。【解決手段】本発明の一実施形態による２次電池は、第１電極および第２電極を含む電極アセンブリ、電極アセンブリが収容されるケース、電極アセンブリの第１電極に電気的に連結される第１端子、ケースに設置されて電極アセンブリの第２電極に電気的に連結されるキャッププレート、および第１端子に電気的に連結される電子供与部を含む。電子供与部の反応性が負極端子よりも大きいため、電子供与部が負極端子に電子を提供して負極端子が酸化されることを防止することができる。【選択図】図２
2013161790.tif 000002
【特許請求の範囲】
【請求項１】
第１電極および第２電極を含む電極アセンブリ、
前記電極アセンブリが収容されるケース、
前記電極アセンブリの前記第１電極に電気的に連結される第１端子、
前記ケースに設置されて前記電極アセンブリの前記第２電極に電気的に連結されるキャッププレート、および
前記第１端子に電気的に連結される電子供与部を含む、２次電池。
【請求項２】
前記電極アセンブリの前記第２電極に電気的に結合される第２端子をさらに含む、請求項１に記載の２次電池。
【請求項３】
前記電子供与部は、前記第１端子を構成する物質よりも反応性が高い物質を含む、請求項１または２に記載の２次電池。
【請求項４】
前記電子供与部は、マグネシウム、ナトリウム、亜鉛、鉄、コバルトおよび鉛のうちの少なくとも一つを含む、請求項１から３の何れか一項に記載の２次電池。
【請求項５】
前記第１端子は、アルミニウムおよび銅のうちの一つを含む、請求項１から４の何れか一項に記載の２次電池。
【請求項６】
前記第１端子は、端子プレートと端子連結部材とを含む、請求項１から５の何れか一項に記載の２次電池。
【請求項７】
前記キャッププレートの上で前記第１端子と結合し、前記端子プレートと前記キャッププレートとの間に設置される絶縁部をさらに含む、請求項１から６の何れか一項に記載の２次電池。
【請求項８】
前記絶縁部は、底板と側壁とを含み、
前記底板は、前記端子プレートと前記キャッププレートとの間に位置し、
前記側壁は、前記底板の周囲に沿って延長する、請求項７に記載の２次電池。
【請求項９】
前記底板は、前記端子連結部材が貫通して延長するホールを含む、請求項８に記載の２次電池。
【請求項１０】
前記電子供与部は、前記端子プレートの下面と接触する、請求項８または９に記載の２次電池。
【請求項１１】
前記電子供与部は、前記端子プレートと前記絶縁部の底板との間に位置する、請求項１０に記載の２次電池。
【請求項１２】
前記電子供与部は、前記端子連結部材が貫通して延長するホールを含む、請求項６から１１の何れか一項に記載の２次電池。
【請求項１３】
前記電子供与部は、前記端子プレートの周囲と接触し、襟形状である、請求項８または９に記載の２次電池。
【請求項１４】
前記襟形状の電子供与部の横断面は、四角リング形状である、請求項１３に記載の２次電池。
【請求項１５】
前記電子供与部は、前記端子プレートの前記周囲と前記絶縁部の前記側壁との間に位置する、請求項１４に記載の２次電池。
【請求項１６】
前記電子供与部は、下部接触部と側面接触部とを含み、
前記下部接触部は、前記絶縁部の前記底板と対応するプレート形状であり、
前記側面接触部は、前記下部接触部の側面に沿って外側に延長し、
前記電子供与部は、前記絶縁部の内側面にコーティングされる、請求項８に記載の２次電池。
【請求項１７】
前記下部接触部は、前記端子プレートの下面と接触し、前記側面接触部は、前記端子プレートの周囲と接触する、請求項１６に記載の２次電池。
【請求項１８】
前記下部接触部は、前記端子プレートの前記下面と前記絶縁部の前記底板との間に位置し、
前記側面接触部は、前記端子プレートの側面と前記絶縁部の前記側壁との間に位置する、請求項１６または１７に記載の２次電池。
【請求項１９】
前記電子供与部は、前記端子連結部が貫通して延長するホールを含む、請求項１６から１８の何れか一項に記載の２次電池。
【請求項２０】
前記電子供与部は、犠牲電極であり、前記第１端子よりも早く腐食する、請求項１から１９の何れか一項に記載の２次電池。
【発明の詳細な説明】
【技術分野】
【０００１】
本発明は、２次電池に関し、より詳しくは、端子の構造を改善した２次電池に関する。
【背景技術】
【０００２】
２次電池（ｒｅｃｈａｒｇｅａｂｌｅ  ｂａｔｔｅｒｙ）は、充電が不可能な１次電池とは異なり、充電および放電が可能な電池である。低容量の２次電池は、携帯電話機、ノートパソコンおよびビデオカメラのように携帯が可能な小型電子機器に使用され、大容量電池は、ハイブリッド自動車などのモータ駆動用電源として広く使用されている。
【０００３】
最近、高エネルギー密度の非水電解液を利用した高出力２次電池が開発されており、上記の高出力２次電池は、多量の電力を必要とする機器、例えば、電気自動車などのモータ駆動に使用され得るように複数の２次電池を直列に連結した大容量の２次電池から構成される。
【０００４】
また、一つの大容量２次電池は、通常直列に連結される複数の２次電池から構成され、２次電池は、円筒型と角型などで構成され得る。
【発明の概要】
【発明が解決しようとする課題】
【０００５】
２次電池のケースが正に帯電した場合、負極端子で電子が脱離して負極端子が腐食する問題が発生する。負極端子が腐食すると負極端子とこれに連結された部材との間の接触抵抗が増加して２次電池の性能が低下する問題が発生する。
【０００６】
したがって、本発明は、上記の問題点を解決するために案出されたものであって、本発明の目的は、負極端子の腐食を減少させることができる２次電池を提供することにある。
【課題を解決するための手段】
【０００７】
本発明の一側面による２次電池は、第１電極および第２電極を含む電極アセンブリ、電極アセンブリが収容されるケース、電極アセンブリの第１電極に電気的に連結される第１端子、ケースに設置されて電極アセンブリの第２電極に電気的に連結されるキャッププレート、および第１端子に電気的に連結される電子供与部を含む。
【０００８】
また、電極アセンブリの第２電極に電気的に結合される第２端子をさらに含むことができる。
【０００９】
また、電子供与部は、第１端子を構成する物質よりも反応性が高い物質を含むことができる。
【００１０】
また、電子供与部は、マグネシウム、ナトリウム、亜鉛、鉄、コバルトおよび鉛のうちの少なくとも一つを含むことができる。
【００１１】
また、第１端子は、アルミニウムおよび銅のうち一つを含むことができる。
【００１２】
また、第１端子は、端子プレートと端子連結部材とを含むことができる。
【００１３】
また、キャッププレートの上で第１端子と結合し、端子プレートとキャッププレートとの間に設置される絶縁部をさらに含むことができる。
【００１４】
また、絶縁部は、底板と側壁とを含むことができ、底板は、端子プレートとキャッププレートとの間に位置することができ、側壁は、底板の周囲に沿って延長することができる。
【００１５】
また、底板は、端子連結部材が貫通して延長するホールを含むことができる。
【００１６】
また、電子供与部は、端子プレートの下面と接触することができる。
【００１７】
また、電子供与部は、端子プレートと絶縁部の底板との間に位置することができる。
【００１８】
また、電子供与部は、端子連結部材が貫通して延長するホールを含むことができる。
【００１９】
また、電子供与部は、端子プレートの周囲と接触し、襟形状であってもよい。
【００２０】
また、襟形状の電子供与部の横断面は、四角リング形状であってもよい。
【００２１】
また、電子供与部は、端子プレートの周囲と絶縁部の側壁との間に位置することができる。
【００２２】
また、電子供与部は、下部接触部と側面接触部とを含むことができ、下部接触部は、絶縁部の底板と対応するプレート形状であってもよく、側面接触部は、下部接触部の側面に沿って外側に延長することができ、電子供与部は、絶縁部の内側面にコーティングされ得る。
【００２３】
また、下部接触部は、端子プレートの下面と接触し、側面接触部は、端子プレートの周囲と接触することができる。
【００２４】
また、下部接触部は、端子プレートの下面と絶縁部の底板との間に位置することができ、側面接触部は、端子プレートの側面と絶縁部の側壁との間に位置することができる。
【００２５】
また、電子供与部は、端子連結部が貫通して延長するホールを含むことができる。
【００２６】
また、電子供与部は、犠牲電極であり、第１端子よりも早く腐食することができる。
【発明の効果】
【００２７】
本発明の一実施形態によれば、電子供与部の反応性が負極端子よりも大きいため、電子供与部が負極端子に電子を提供して負極端子が酸化されることを防止することができる。
【図面の簡単な説明】
【００２８】
【図１】本発明の第１実施形態による２次電池を示した斜視図である。
【図２】図１のＩＩ−ＩＩ線断面図である。
【図３】本発明の図１の２次電池の絶縁部および端子プレートの分解斜視図である。
【図４】本発明の図１の２次電池の一部を示した切開斜視図である。
【図５】本発明の第２実施形態による２次電池の絶縁部および端子プレートの分解斜視図である。
【図６】本発明の第２実施形態による２次電池の一部を示した切開斜視図である。
【図７】本発明の第３実施形態による２次電池の絶縁部および端子プレートの分解斜視図である。
【図８】本発明の第３実施形態による２次電池の一部を示した切開斜視図である。
【発明を実施するための形態】
【００２９】
以下、図面を参照して本発明が属する技術分野で通常の知識を有する者が容易に実施することができるように本発明の実施形態を詳しく説明する。しかし、本発明は、多様な異なる形態で実現することができ、下記実施形態に限定されない。そして、本明細書および図面において同一の符号は同一の構成要素を示す。
【００３０】
図１は、本発明の第１実施形態による２次電池を示した斜視図であり、図２は、図１のＩＩ−ＩＩ線断面図である。
【００３１】
図１および図２を参照して説明すると、本発明の第１実施形態による２次電池１０１は、正極１１と負極１２との間にセパレータ１３を介在して巻き取られた電極アセンブリ１０と、電極アセンブリ１０が内蔵されるケース２６と、ケース２６の開口に結合されたキャップアセンブリ３０とを含むことができる。
【００３２】
本発明の第１実施形態による２次電池１０１は、リチウムイオン２次電池として角型であるものを例に挙げて説明する。ただし、本発明は、これに制限されず、リチウムポリマー電池または円筒型電池など多様な形態の電池に適用され得る。
【００３３】
正極１１および負極１２は、薄板の金属箔から形成された集電体に活物質が塗布された領域であるコーティング部と、活物質がコーティングされていない領域である無地部１１ａ、１２ａとを含む。正極無地部１１ａは、正極１１の長さ方向に沿って正極１１の一側端に形成され、負極無地部１２ａは、負極１２の長さ方向に沿って負極１２の他側端に形成される。そして、正極１１および負極１２は、絶縁体であるセパレータ１３を間に介在した後に巻き取られる。
【００３４】
ただし、本発明がこれに制限されず、電極アセンブリ１０は、複数のシート（ｓｈｅｅｔ）からなる正極と負極とがセパレータを間に置いて積層された構造から構成されることもできる。
【００３５】
ケース２６は、ほぼ直方体からなり、一面には開放された開口が形成される。ケース２６は、アルミニウム、ステンレススチールなどの金属からなることができる。
【００３６】
キャップアセンブリ３０は、ケース２６の開口を覆うキャッププレート３１と、キャッププレート３１の外側に突出し、正極１１と電気的に連結された第２端子２１（以下、正極端子という）と、キャッププレート３１の外側に突出し、負極１２と電気的に連結された第１端子２０（以下、負極端子という）とを含むことができる。
【００３７】
ここで、負極端子２０は、端子プレート２２および端子連結部材２４を含むことができる。
【００３８】
キャッププレート３１は、一方向に延長した長い板形態から形成され得、ケース２６の開口に結合する。キャッププレート３１には、電解液注入口３２に設置された密封キャップ３８と、ベントホール３４に設置され、設定された圧力で開放されるように切欠３９ａが形成されたベントプレート３９とが設置され得る。
【００３９】
また、本実施形態によると、キャッププレート３１は、電極アセンブリ１０の正極１１に電気的に連結され得る。
【００４０】
正極端子２１および負極端子２０は、キャッププレート３１上部に突出するように設置され得る。正極端子２１は、集電タブ４１を媒介として正極１１と電気的に連結し、負極端子２０は、集電タブ４２を媒介として負極１２と電気的に連結し得る。
【００４１】
正極端子２１と集電タブ４１との間には、正極端子２１と集電タブ４１を電気的に連結する端子連結部材２３が設置され得る。正極端子２１と端子連結部材２３は、正極集電体（図示せず）と同一の素材であるアルミニウムからなることができる。
【００４２】
端子連結部材２３は、正極端子２１に形成されたホールに挿入されて、上端が正極端子２１に溶接により固定され、下端は集電タブ４１に溶接により固定され得る。
【００４３】
端子連結部材２３とキャッププレート３１との間には、端子連結部材２３が貫通されるホールに密封のためのガスケット５６が挿入設置され得、キャッププレート３１の下には端子連結部材２３の下部が挿入される下部絶縁部材４３が設置され得る。
【００４４】
正極端子２１には、正極端子２１とキャッププレート３１とを電気的に連結する連結板５８が設置され得る。連結板５８には、端子連結部材２３が挿入設置され、連結板５８は、ほぼ長方形の板形状からなることができる。これによって、キャッププレート３１とケース２６は同一の極性である正極１１に帯電され得る。
【００４５】
前述した通り、負極端子２０は、端子プレート２２と端子連結部材２４を含むことができる。
【００４６】
端子プレート２２と集電タブ４２との間には、端子プレート２２と集電タブ４２を電気的に連結する端子連結部材２４が設置され得る。
【００４７】
したがって、端子連結部材２４は、端子プレート２２に形成されたホールに挿入されて上端が端子プレート２２に溶接により固定され、下端は集電タブ４２に溶接により固定され得る。
【００４８】
ここで、本実施形態による端子プレート２２はアルミニウムからなる反面、端子連結部材２４は負極集電体と同一の素材の銅からなることができる。
【００４９】
図４に示されているように、端子連結部材２４は、キャッププレート３１を貫通して上端が端子プレート２２と当接して固定される柱部２４ａと、柱部２４ａの下端で外側に突出した下部フランジ部２４ｂ、および柱部２４ａの下端で下へ突出し、集電タブ４２に挿入されて溶接により固定された下部突起２４ｃを含むことができる。
【００５０】
負極端子２０とキャッププレート３１との間には、密封のためのガスケット５５が設置され得、キャッププレート３１の下には負極端子２０および集電タブ４２をキャッププレート３１で絶縁する下部絶縁部材４４が設置され得る。
【００５１】
図３は、本発明の図１の２次電池の絶縁部および端子プレートの分解斜視図であり、図４は、本発明の図１の２次電池の一部を示した切開斜視図である。
【００５２】
図３および図４を参照して説明すると、端子プレート２２とキャッププレート３１との間には、負極端子２０の端子プレート２２とキャッププレート３１を絶縁する絶縁部６１が設置され得る。
【００５３】
また、絶縁部６１には、電子供与部６２が設置され得る。
【００５４】
ここで、絶縁部６１は、端子プレート２２とキャッププレート３１とを絶縁することができる。
【００５５】
絶縁部６１は、底板６１ａと、底板６１ａの側端で上部につながった側壁６１ｂとを含むことができる。底板６１ａは、ほぼ四角形の板形状からなり、側壁６１ｂは、底板６１ａの４つの側端で上部につながって形成される。底板６１ａには、端子連結部材２４が挿入されるホール６１ｃが形成されている。前述した構造により絶縁部６１は上部が開放された直方体形態から構成され得る。
【００５６】
端子プレート２２は、絶縁部６１の開放された上部を通じて絶縁部６１に挿入設置されて電子供与部６２と当接することができる。
【００５７】
電子供与部６２は、負極端子２０に電子を提供する部材であって、絶縁部６１の形状に対応する四角板形状からなり、中央には端子連結部材２４が挿入されるホール６２ａが形成され得る。電子供与部６２は、底板６１ａと負極端子２０の下面との間に配置されて端子プレート２２と接触することができる。電子供与部６２は、絶縁部６１の底に接触して、端子プレート２２の下面と底板６１ａとの間に位置することができる。
【００５８】
電子供与部６２は、端子プレート２２よりも反応性が高い物質からなることができる。キャッププレート３１およびケース２６が正に帯電されると、負極端子２０の電子がキャッププレート３１に移動して負極端子２０が酸化される問題が発生する。負極端子２０が酸化腐食されると、負極端子２０と接触する他の部材との間の接触抵抗が増加して２次電池の性能が低下し得る。
【００５９】
このような問題を解決するために、電子供与部６２を設置したところ、端子プレート２２よりもイオン化傾向が高い物質からなる電子供与部６２は負極端子２０に電子を提供することができる。電子供与部６２から負極端子２０に提供された電子は、正に帯電されたキャッププレート３１に移動する。これによって、負極端子２０自体では電子が減少しないため、負極端子２０で電子が減少して負極端子２０が腐食されることを防止することができる。
【００６０】
前述したように、負極端子２０の腐食を防止するためには、電子供与部６２が端子プレート２２よりもイオン化傾向が高い物質から形成されなければならない。ここで電子供与部６２は端子プレート２２よりもと小さい数の最外殻電子を有する物質からなることができ、電子供与部６２は端子プレート２２よりも多い電子殻を有する物質からなることができる。
【００６１】
電子供与部６２をなす物質が端子プレート２２よりも小さい数の最外殻電子を有する物質からなるか、または端子プレート２２よりも多い電子殻を有する物質からなる場合、端子プレート２２よりも電子供与部６２の最外殻電子をイオン化させるエネルギーが小さいため、電子供与部６２で電子が脱離して端子プレート２２に容易に移動することができる。
【００６２】
端子プレート２２がアルミニウムからなる場合、電子供与部６２は端子プレート２２よりも反応性が高いマグネシウムおよび／またはナトリウムを含む物質からなることができる。
【００６３】
また、本実施形態によると、電子供与部６２をなす物質は、マグネシウム、ナトリウム、亜鉛、鉄、コバルトおよび鉛のうちの少なくとも一つを含むことができる。
【００６４】
また、本実施形態によると、負極端子２０をなす物質は、アルミニウムおよび銅のうちの少なくとも一つを含むことができる。
【００６５】
したがって、本実施形態のように絶縁部６１および電子供与部６２を設置する場合、電子供与部６２から負極端子２０に電子が移動し、電子供与部６２が負極端子２０の代わりに酸化され、負極端子２０自体の電子数はほとんど変動しないため、負極端子２０が酸化されることを防止することができ得る。
【００６６】
図５は、本発明の第２実施形態による２次電池の絶縁部および端子プレートの分解斜視図であり、図６は、本発明の第２実施形態による２次電池の一部を示した切開斜視図である。
【００６７】
図５および図６を参照して説明すると、負極端子２０とキャッププレート３１との間には負極端子２０とキャッププレート３１を絶縁する絶縁部７１が設置される。
【００６８】
本実施形態による２次電池は、絶縁部７１および電子供与部７２の構造を除いては第１実施形態による２次電池と同一の構造からなるため、同一の構造に対する重複説明は省略する。
【００６９】
本実施形態によると、絶縁部７１は、負極端子２０とキャッププレート３１を絶縁することができ、電子供与部７２は、負極端子２０と接触するように設置され得る。
【００７０】
より詳しくは、絶縁部７１は、底板７１ａと、底板７１ａの側端で上部につながった側壁７１ｂとを含むことができる。底板７１ａは、ほぼ四角形の板形状からなり、側壁７１ｂは、底板７１ａの４つの側端で上部につながって形成され得る。底板７１ａには、端子連結部材２４が挿入されるホール７１ｃが形成されている。前述した構造により絶縁部７１は上部が開放された直方体形態から構成され得る。
【００７１】
端子プレート２２は、絶縁部７１の開放された上部を通じて絶縁部７１に挿入設置されて電子供与部７２と当接することができる。
【００７２】
電子供与部７２は、負極端子２０に電子を提供する部材であって、四角リング形状の横断面を有することができる。電子供与部７２は、絶縁部７１の側壁７１ｂに接触して端子プレート２２の側面と側壁７１ｂとの間に位置することができる。
【００７３】
例えば、電子供与部７２は、端子プレート２２の周囲に接触する襟形状（ｃｏｌｌａｒ  ｓｈａｐｅ）であってもよく、襟形状の電子供与部７２の横断面は四角リング形状であってもよい。また、電子供与部７２は、端子プレート２２の周囲と絶縁部７１の側壁７１ｂとの間に位置することができる。
【００７４】
電子供与部７２は、端子プレート２２よりも酸化がよく行われる物質からなる。そのために、電子供与部７２は、端子プレート２２よりも小さい数の最外殻電子を有する物質からなることができ、電子供与部７２は、端子プレート２２よりも多い電子殻を有する物質からなることができる。
【００７５】
端子プレート２２がアルミニウムからなる場合、電子供与部７２は、端子プレート２２よりも酸化がよく行われるマグネシウム、ナトリウムを含む物質からなることができる。
【００７６】
電子供与部７２が端子プレート２２よりも酸化がよく行われる物質からなる場合、電子供与部７２が端子プレート２２に電子を提供して端子プレート２２が酸化されることを最少化することができる。
【００７７】
キャッププレート３１およびケース２６が正に帯電されると、負極端子２０の電子がキャッププレート３１に移動して負極端子２０が酸化される問題が発生する。負極端子２０が酸化腐食されると、負極端子２０と接触する他の部材との間の接触抵抗が増加して２次電池の性能が低下する問題が発生する。
【００７８】
しかし、本実施形態のように、絶縁部７１および電子供与部７２を設置する場合、電子供与部７２が負極端子２０に電子を提供して、電子供与部７２が負極端子２０の代わりに腐食され、負極端子２０が腐食されることを防止することができる。
【００７９】
例えば、電子供与部７２は、端子プレート２２を含む負極端子２０よりも高い反応性に腐食される犠牲電極であってもよい。
【００８０】
図７は、本発明の第３実施形態による２次電池の絶縁部材および端子プレートの分解斜視図であり、図８は、本発明の第３実施形態による２次電池の一部を示した切開斜視図である。
【００８１】
図７および図８を参照して説明すると、負極端子２０とキャッププレート３１との間には、負極端子２０とキャッププレート３１を絶縁する絶縁部８１と、負極端子２０と接触される電子供与部８２とが設置され得る。本実施形態による２次電池は、絶縁部８１および電子供与部８２の構造を除いては上記第１実施形態による２次電池と同一の構造からなるため、同一の構造に対する重複説明は省略する。
【００８２】
絶縁部８１は、底板８１ａと、底板８１ａの側端で上部につながった側壁８１ｂとを含むことができる。底板８１ａは、ほぼ四角形の板形状からなり、側壁８１ｂは、底板８１ａの４つの側端で上部につながって形成され得る。底板８１ａには、端子連結部材２４が挿入されるホール８１ｃが形成されている。前述した構造により絶縁部８１は上部が開放された直方体形態で構成され得る。
【００８３】
端子プレート２２は、絶縁部８１の開放された上部を通じて絶縁部８１に挿入設置されて電子供与部８２と当接することができる。
【００８４】
電子供与部８２は、負極端子２０に電子を提供する部材であって、下部接触部８２ａと、下部接触部８２ａの側端で上部に突出した側面接触部８２ｂとを有することができる。下部接触部８２ａは、ほぼ四角形の板形状からなり、側面接触部８２ｂは、下部接触部８２ａの４つの側端で上部につながって形成され得る。
【００８５】
例えば、下部接触部８２ａは、絶縁部８１の底板８１ａの形状と相応するプレート形状を有することができる。
【００８６】
また、本実施形態による電子供与部８２は、絶縁部８１の内側面にコーティングされて形成され得る。
【００８７】
下部接触部８２ａには、端子連結部材２４が挿入または貫通して延長されるホール８２ｃが形成され得る。
【００８８】
本実施形態によると、下部接触部８２ａは、端子プレート２２の下面と接触され、側面接触部８２ｂは、端子プレート２２の周囲に接触され得る。
【００８９】
電子供与部８２は、絶縁部８１に挿入されて端子プレート２２と絶縁部８１との間に位置し、下部接触部８２ａが端子プレート２２の下面と当接し、側面接触部８２ｂが端子プレート２２の側面と当接して接触することができる。
【００９０】
例えば、下部接触部８２ａは、負極端子２０の端子プレート２２の下面に接触することができ、側面接触部８２ｂは、端子プレート２２の下面と絶縁部８１の底板との間に位置することができる。
【００９１】
また、側面接触部８２ｂは、端子プレート２２の側面と絶縁部８１の側壁８１ｂとの間に位置することができる。
【００９２】
電子供与部８２は、上部が開放された直方体形態から構成され得る。このような電子供与部８２は、絶縁部８１の表面に電子供与部８２をなす金属をコーティングして形成することができる。
【００９３】
このように本実施形態によると、絶縁部８１を形成した後、絶縁部８１の内面に犠牲正極金属をコーティングすることで簡単に電子供与部８２を形成することができる。
【００９４】
電子供与部８２は、端子プレート２２よりも反応性が高く、酸化がよく行われる物質からなる。そのために、電子供与部８２は、端子プレート２２よりも小さい数の最外殻電子を有する物質からなることができ、電子供与部８２は、端子プレート２２よりも多い電子殻を有する物質からなることができる。
【００９５】
端子プレート２２がアルミニウムからなる場合、電子供与部８２は、端子プレート２２よりも反応性が高い物質であるマグネシウムおよびナトリウムのうちの一つ以上を含む物質からなることができる。
【００９６】
電子供与部８２が端子プレート２２よりも反応性が高い物質からなる場合、電子供与部８２が負極端子２０に電子を提供して負極端子２０が酸化されることを最少化することができる。
【００９７】
キャッププレート３１およびケース２６が正に帯電されると、負極端子２０の電子がキャッププレート３１に移動して負極端子２０が酸化される問題が発生する。負極端子２０が酸化腐食されると、負極端子２０と接触する他の部材との間の接触抵抗が増加して２次電池の性能が低下する問題が発生することができる。
【００９８】
しかし、本実施形態のような絶縁部８１および電子供与部８２によると、電子供与部８２が負極端子２０に電子を提供して、電子供与部８２が負極端子２０の代わりに腐食されて負極端子２０が腐食されることを防止することができ得る。
【００９９】
以上で、本発明の好適な実施形態について説明したが、本発明がこれに限定されず、特許請求の範囲と発明の詳細な説明および図面の範囲内で多様に変形して実施することができる。
【符号の説明】
【０１００】
１０…電極アセンブリ
１１…正極
１１ａ…正極無地部
１２…負極
１２ａ…負極無地部
１３…セパレータ
２０…負極端子
２１…正極端子
２２…端子プレート
２３、２４…端子連結部材
２４ａ…柱部
２４ｂ…下部フランジ部
２４ｃ…下部突起
２６…ケース
３０…キャップアセンブリ
３１…キャッププレート
３２…電解液注入口
３４…ベントホール
３８…密封キャップ
３９…ベントプレート
３９ａ…切欠
４１、４２…集電タブ
４３、４４…下部絶縁部材
５５、５６…ガスケット
５８…連結板
６１、７１、８１…絶縁部
６１ａ、７１ａ、８１ａ…底板
６１ｂ、７１ｂ、８１ｂ…側壁
６１ｃ、７１ｃ、８１ｃ、６２ａ、８２ｃ…ホール
６２、７２、８２…電子供与部
７２ａ…内壁
８２ａ…下部接触部
８２ｂ…側面接触部
１０１…２次電池
【図１】
2013161790.tif 000003
【図２】
2013161790.tif 000004
【図３】
2013161790.tif 000005
【図４】
2013161790.tif 000006
【図５】
2013161790.tif 000007
【図６】
2013161790.tif 000008
【図７】
2013161790.tif 000009
【図８】
2013161790.tif 000010